(57)【要約】      （修正有）【課題】短期間で施工可能な吊構造建物の構築方法を提供する。【解決手段】水平部材１０を揚重可能な水平部材昇降装置１１０を設置する工程と、水平部材１０を水平部材昇降装置１１０により適宜な高さまで上昇させ、水平部材１０を水平部材昇降装置１１０により適宜な高さに保持し、所定の階数範囲の各階の梁床部材４０を、同じ階及びこれより上階の本設の吊柱よりも短く、撤去可能な仮設の吊柱１２０を介して水平部材１０に吊下する工程とを行い、所定の階数範囲の各階を作業対象階とし、作業対象階又は作業対象階から所定の階数範囲の最下階までの階の梁床部材４０を支持した状態で、作業対象階の仮設の吊柱１２０を撤去する工程と、作業対象階の上階から所定の階数範囲の最上階までの階の梁床部材４０が吊下された状態の水平部材１０を、作業対象階の階高が所定の階高となるまで上昇させる工程と、作業対象階の本設の吊柱を構築する工程とを行う。【選択図】図３
2008280681.tif 000002
【特許請求の範囲】
【請求項１】
所定の階数範囲の各階の梁部材、梁床部材又は床部材（以下、梁部材等という）が、所定の高さに支持された主ビームから、当該梁部材等と同じ階及びこれより上階の本設の吊柱を介して吊下された構成を有する吊構造建物を構築する方法であって、
前記主ビームを揚重可能な揚重装置を設置する揚重装置設置工程と、
前記主ビームを前記揚重装置により適宜な高さまで上昇させ、前記主ビームを前記揚重装置により前記適宜な高さに保持し、前記所定の階数範囲の各階の梁部材等を当該梁部材等と同じ階及びこれより上階の、前記本設の吊柱よりも短く、撤去可能な仮設の吊柱を介して前記主ビームに吊下する吊下工程と、を行い、
前記所定の階数範囲の少なくとも一部の階を適宜な順序で作業対象階として、
前記作業対象階又は前記作業対象階から前記所定の階数範囲の最下階までの階の梁部材等を支持した状態で、前記作業対象階の仮設の吊柱を撤去する仮設吊柱撤去工程と、
前記揚重装置により、前記作業対象階の上階から前記所定の階数範囲の最上階までの階の梁部材等が吊下された状態の前記主ビームを、前記作業対象階の階高が所定の階高となるまで上昇させる階高調整工程と、
前記作業対象階の梁部材等を前記作業対象階の直上の階の梁部材等又は前記主ビームに前記本設の吊柱により接続する本設吊柱構築工程と、を行うことを特徴とする吊構造建物の構築方法。
【請求項２】
請求項１記載の吊構造建物の構築方法であって、
前記吊下工程の後段に、
前記主ビームに反力を取りながら、前記所定の階数範囲のうち最下階の梁部材等を支持するとともに、前記最下階の梁部材等及び当該最下階の梁部材等に仮設又は本設の吊柱により接続された梁部材等を昇降可能な梁部材等昇降装置を設置する梁部材等昇降装置設置工程を行い、
前記仮設吊柱撤去工程では、
前記梁部材等昇降装置により、前記作業対象階又は前記作業対象階から前記所定の階数範囲の最下階の梁部材等を支持し、
前記階高調整工程では、
前記揚重装置により、前記主ビームを、前記作業対象階の階高が所定の階高となるまで上昇させるとともに、前記梁部材等昇降装置により、前記作業対象階又は前記作業対象階から前記所定の階数範囲の最下階の梁部材等を、高さが変化しないように、前記主ビームに対して下降させることを特徴とする吊構造建物の構築方法。
【請求項３】
前記梁部材等昇降装置は、前記所定の階数範囲の最下階の梁部材等に下端が定着された吊り材と、
前記主ビームに取り付けられ、前記吊り材の上部を支持するとともに前記吊り材を昇降させることが可能な昇降機構と、で構成され、
前記階高調整工程では、前記昇降機構が前記吊り材を下降させることにより、前記作業対象階又は前記作業対象階から前記所定の階数範囲の最下階の梁部材等を、高さが変化しないように、前記主ビームに対して下降させることを特徴とする請求項２記載の吊構造建物の階高変更方法。
【請求項４】
前記梁部材等昇降装置は、前記主ビームに上端が定着された吊り材と、
前記所定の階数範囲の最下階の梁部材等の下側に取り付けられ、前記吊り材を支持するとともに、前記吊り材に沿って昇降可能な昇降機構と、で構成され、
前記階高調整工程では、前記昇降機構が前記吊り材に沿って下降することにより、前記作業対象階又は前記作業対象階から前記所定の階数範囲の最下階の梁部材等を、高さが変化しないように、前記主ビームに対して下降させることを特徴とする請求項２記載の吊構造建物の階高変更方法。
【請求項５】
前記仮設の吊柱は内部に前記吊り材を挿通可能であり、
前記梁部材等の前記仮設の吊柱が接続された部位には貫通孔が設けられており、
前記梁部材等昇降装置設置工程では、前記吊り材を前記仮設の吊柱の内部及び前記梁部材等の貫通孔を貫通するように前記梁部材等昇降装置を設置することを特徴とする請求項３又は４記載の吊構造建物の階高の変更方法。
【請求項６】
前記梁部材等昇降装置設置工程では、前記梁部材等の前記吊柱の接続された位置以外の部位に鉛直方向に並ぶように貫通孔を設け、前記吊り材を前記貫通孔を挿通するように前記吊り材を設置することを特徴とする請求項３又は４記載の吊構造建物の階高の変更方法。
【請求項７】
請求項１記載の吊構造建物の構築方法であって、
前記仮設吊柱撤去工程では、
前記所定の階数範囲の最下階の梁部材等の下方に仮設部材を設置し、
前記仮設部材及び前記作業対象階から前記所定の階数範囲の最下階から前記作業対象階の直下の階までの仮設の吊柱又は本設の吊柱により、前記作業対象階又は前記作業対象階から前記所定の階数範囲の最下階の梁部材等を支持することを特徴とする吊構造建物の構築方法。
【請求項８】
請求項１記載の吊構造建物の構築方法であって、
前記主ビームは、前記梁部材等の周囲に立設された支持部材により所定の高さに支持されており、
前記仮設吊柱撤去工程では、
前記作業対象階又は前記作業対象階から前記所定の階数範囲の最下階の少なくとも一部の階の梁部材等を前記支持部材に連結することにより、前記作業対象階又は前記作業対象階から前記所定の階数範囲の最下階の梁部材等を支持することを特徴とする吊構造建物の構築方法。
【請求項９】
所定の階数範囲の階の梁部材、梁床部材又は床部材（以下、梁部材等という）が、所定の高さに支持された主ビームから、当該梁部材等と同じ階及びこれより上階の吊柱を介して吊下された構成を有する吊構造建物を構築する方法であって、
前記主ビームを揚重可能な揚重装置を設置する揚重装置設置工程と、
前記主ビームを下方において、前記揚重装置により作業可能な高さまで揚重し、保持する主ビーム揚重工程と、
前記主ビームの下方において、前記所定の階数範囲の階の梁部材等を積層する梁部材等積層工程と、を行い、
前記所定の階数範囲の少なくとも一部の階を上階から下階の順序で作業対象階として、
前記揚重装置により、前記主ビームを、前記主ビーム又は前記主ビームに接続された最下階の梁部材等の下面が前記作業対象階の階高に相当する高さまで揚重する主ビーム接続工程と、
前記主ビーム又は前記作業対象階の上階の梁部材等の下方に、前記作業対象階の梁部材等を前記作業対象階の吊柱を介して接続する梁部材等接続工程と、を行うことを特徴とする吊構造建物の構築方法。
【請求項１０】
請求項１から９何れかに記載の方法により構築されたことを特徴とする吊構造建物。
【発明の詳細な説明】
【技術分野】
【０００１】
本発明は、メガフレームより複数の梁床部材を吊持してなる吊構造建物の構築方法に関する。
【背景技術】
【０００２】
従来より、複数の垂直部材の間に水平部材が架設されてなるメガフレームと、各階の床を構成する梁床部材と、各階の梁床部材の間及び最上階の梁床部材とメガフレームとの間を連結する吊柱とにより構成された吊構造建物が構築されている。
【０００３】
このような吊構造建物の構築方法として、例えば、特許文献１には、メガフレームを構築した後、地上において各階の梁床部材を積層した状態で成形し、これらの梁床部材をロッドにより連結し、水平部材の上に設置された昇降装置によりロッドを引き上げ、ロッドの上端をメガフレームを構成する水平部材に固定することにより、吊構造建物を構築する方法が記載されている。
【特許文献１】特許２７１７１４２号公報
【発明の開示】
【発明が解決しようとする課題】
【０００４】
上述したように、従来は、メガフレームを構成する水平部材及び梁床部材を別々の工程で上昇させている。このため、施工期間が長期化するという問題があった。
【０００５】
本発明は、上記の問題に鑑みなされたものであり、その目的は、短期間で施工可能な吊構造建物の構築方法を提供することである。
【課題を解決するための手段】
【０００６】
本発明の吊構造建物の構築方法は、所定の階数範囲の各階の梁部材、梁床部材又は床部材（以下、梁部材等という）が、所定の高さに支持された主ビームから、当該梁部材等と同じ階及びこれより上階の本設の吊柱を介して吊下された構成を有する吊構造建物を構築する方法であって、前記主ビームを揚重可能な揚重装置を設置する揚重装置設置工程と、  前記主ビームを前記揚重装置により適宜な高さまで上昇させ、前記主ビームを前記揚重装置により前記適宜な高さに保持し、前記所定の階数範囲の各階の梁部材等を当該梁部材等と同じ階及びこれより上階の、前記本設の吊柱よりも短く、撤去可能な仮設の吊柱を介して前記主ビームに吊下する吊下工程と、を行い、前記所定の階数範囲の少なくとも一部の階を適宜な順序で作業対象階として、前記作業対象階又は前記作業対象階から前記所定の階数範囲の最下階までの階の梁部材等を支持した状態で、前記作業対象階の仮設の吊柱を撤去する仮設吊柱撤去工程と、前記揚重装置により、前記作業対象階の上階から前記所定の階数範囲の最上階までの階の梁部材等が吊下された状態の前記主ビームを、前記作業対象階の階高が所定の階高となるまで上昇させる階高調整工程と、前記作業対象階の梁部材等を前記作業対象階の直上の階の梁部材等又は前記主ビームに前記本設の吊柱により接続する本設吊柱構築工程と、を行うことを特徴とする。
なお、前記少なくとも一部の階以外の階については、本発明の方法に限らず、適宜な方法により構築すればよい。
【０００７】
ここで、前記吊下工程の後段に、前記主ビームに反力を取りながら、前記所定の階数範囲のうち最下階の梁部材等を支持するとともに、前記最下階の梁部材等及び当該最下階の梁部材等に仮設又は本設の吊柱により接続された梁部材等を昇降可能な梁部材等昇降装置を設置する梁部材等昇降装置設置工程を行い、前記仮設吊柱撤去工程では、前記梁部材等昇降装置により、前記作業対象階又は前記作業対象階から前記所定の階数範囲の最下階の梁部材等を支持し、前記階高調整工程では、前記揚重装置により、前記主ビームを、前記作業対象階の階高が所定の階高となるまで上昇させるとともに、前記梁部材等昇降装置により、前記作業対象階又は前記作業対象階から前記所定の階数範囲の最下階の梁部材等を、高さが変化しないように、前記主ビームに対して下降させてもよい。
【０００８】
また、前記梁部材等昇降装置は、前記所定の階数範囲の最下階の梁部材等に下端が定着された吊り材と、前記主ビームに取り付けられ、前記吊り材の上部を支持するとともに前記吊り材を昇降させることが可能な昇降機構と、で構成され、前記階高調整工程では、前記昇降機構が前記吊り材を下降させることにより、前記作業対象階又は前記作業対象階から前記所定の階数範囲の最下階の梁部材等を、高さが変化しないように、前記主ビームに対して下降させてもよい。
【０００９】
また、前記梁部材等昇降装置は、前記主ビームに上端が定着された吊り材と、前記所定の階数範囲の最下階の梁部材等の下側に取り付けられ、前記吊り材を支持するとともに、前記吊り材に沿って昇降可能な昇降機構と、で構成され、前記階高調整工程では、前記昇降機構が前記吊り材に沿って下降することにより、前記作業対象階又は前記作業対象階から前記所定の階数範囲の最下階の梁部材等を、高さが変化しないように、前記主ビームに対して下降させてもよい。
【００１０】
また、前記仮設の吊柱は内部に前記吊り材を挿通可能であり、前記梁部材等の前記仮設の吊柱が接続された部位には貫通孔が設けられており、前記梁部材等昇降装置設置工程では、前記吊り材を前記仮設の吊柱の内部及び前記梁部材等の貫通孔を貫通するように前記梁部材等昇降装置を設置してもよい。
【００１１】
また、前記梁部材等昇降装置設置工程では、前記梁部材等の前記吊柱の接続された位置以外の部位に鉛直方向に並ぶように貫通孔を設け、前記吊り材を前記貫通孔を挿通するように前記吊り材を設置してもよい。
【００１２】
また、前記仮設吊柱撤去工程では、前記所定の階数範囲の最下階の梁部材等の下方に仮設部材を設置し、前記仮設部材により、前記作業対象階又は前記作業対象階から前記所定の階数範囲の最下階の梁部材等を支持してもよい。
【００１３】
また、前記主ビームは、前記梁部材等の周囲に立設された支持部材により所定の高さに支持されており、前記仮設吊柱撤去工程では、前記作業対象階又は前記作業対象階から前記所定の階数範囲の最下階の少なくとも一部の階の梁部材等を前記支持部材に連結することにより、前記作業対象階又は前記作業対象階から前記所定の階数範囲の最下階の梁部材等を支持してもよい。
【００１４】
また、本発明の吊構造建物の構築方法は、所定の階数範囲の階の梁部材、梁床部材又は床部材（以下、梁部材等という）が、所定の高さに支持された主ビームから、当該梁部材等と同じ階及びこれより上階の吊柱を介して吊下された構成を有する吊構造建物を構築する方法であって、前記主ビームを揚重可能な揚重装置を設置する揚重装置設置工程と、前記主ビームを下方において、前記揚重装置により作業可能な高さまで揚重し、保持する主ビーム揚重工程と、前記主ビームの下方において、前記所定の階数範囲の階の梁部材等を積層する梁部材等積層工程と、を行い、前記所定の階数範囲の少なくとも一部の階を上階から下階の順序で作業対象階として、前記揚重装置により、前記主ビームを、前記主ビーム又は前記主ビームに接続された最下階の梁部材等の下面が前記作業対象階の階高に相当する高さまで揚重する主ビーム接続工程と、前記主ビーム又は前記作業対象階の上階の梁部材等の下方に、前記作業対象階の梁部材等を前記作業対象階の吊柱を介して接続する梁部材等接続工程と、を行うことを特徴とする。
また、本発明の吊構造建物は、上記の方法により構築されたことを特徴とする。
【発明の効果】
【００１５】
主ビームに取り付けられた梁床部材昇降装置により各階の梁床部材を支持しながら、主ビームを上昇させるため、主ビーム及び梁床部材を同時に上昇させることができ、施工期間を短縮することができる。
【発明を実施するための最良の形態】
【００１６】
以下、本発明の吊構造建物の構築方法の一実施形態を図面を参照しながら説明する。
図１は、本実施形態の構築方法により構築された吊構造建物１００の構成を示す正面図である。同図に示すように、本実施形態の吊構造建物１００は、複数の垂直部材（特許請求の範囲における支持部材に相当）２０及びこれらの垂直部材２０の間に架設された水平部材（特許請求の範囲における主ビームに相当）１０からなるメガフレーム３０と、２〜８階の床を構成する床スラブ及び梁が一体となった梁床部材４０と、水平部材１０と最上階（８階）の梁床部材４０の間及び各階の梁床部材４０の間を連結する吊柱５０と、垂直部材２０と各階の梁床部材４０とを連結する連結部材６０と、を備える。
【００１７】
図２は、吊柱５０を構成する部材を示す斜視図である。同図に示すように、吊柱５０は、軸方向に分割された一対の鋼管１５２をボルト接合することにより構成されており、後述するように梁床部材昇降装置１３０のロッド１３２を挿通可能であるとともに、組立及び撤去を容易に行うことができる。
図１に戻り、連結部材６０としては、梁床部材４０をメガフレーム３０の垂直部材２０に対して剛に接続できるように、剛性部材を用いる構成としてもよいし、ばね部材やダンパーなどを用いる構成としてもよい。
【００１８】
以下、本実施形態の吊構造建物の構築方法を説明する。図３〜図７は、本実施形態の吊構造建物の構築方法を説明するための図である。
図３に示すように、まず、ＳＴＥＰ１において、メガフレーム３０を構成する垂直部材２０を構築し、この垂直部材２０の上部に反力をとるように鋼製の節つきのロッド１１２及びジャッキ１１１からなる水平部材昇降装置１１０を設置する。すなわち、垂直部材２０の上端にジャッキ１１１を設置し、このジャッキ１１１にロッド１１２の上部を取付ける。なお、このようなジャッキ１１１としては、例えば、ロッド１１２に沿って昇降可能なシャックル付きのジャッキ（例えば、ＪＦＥシビル株式会社製）などが適している。また、ロッド１１２に代えて、鋼線や鋼材などを用いることもできる。また、垂直部材２０は、予め構築されたものを搬入し、設置してもよい。
【００１９】
次に、ＳＴＥＰ２において、地上に設置されたベント１４０上で、メガフレーム３０を構成する水平部材１０を構築する。そして、ジャッキ１１１より下方に延びるロッド１１２の下部に、定着部１１３により水平部材１０を定着させる。なお、水平部材１０は、予め構築されたものを搬入してもよい。
【００２０】
次に、ＳＴＥＰ３において、ＳＴＥＰ４における６〜８階の梁床部材４０を地組する工程を行うことができるように、水平部材昇降装置１１０により水平部材１０を１フロア分上昇させて、この高さで水平部材１０を保持する。
なお、仮設の吊柱１２０は、本設の吊柱５０と同様に、図２に示すような長さ方向に複数に分割された鋼管１５２からなり、内部にロッド１３２を挿通することができ、また、容易に組立て及び撤去することができる。また、２〜８階の梁床部材４０の仮設の吊柱１２０が接続される位置にも、ロッド１３２を貫通することができるように開口を設けておく。
【００２１】
次に、ＳＴＥＰ４において、６〜８階の梁床部材４０を仮設の吊柱１２０により連結するとともに、８階の梁床部材４０と水平部材１０とを仮設の連結部材１２０により連結する。
【００２２】
次に、ＳＴＥＰ５において、ＳＴＥＰ６における３〜５階の梁床部材４０を地組する工程を行うことができるように、水平部材昇降装置１１０により水平部材１０を１フロア分上昇させて、この高さで水平部材１０を保持する。
【００２３】
次に、ＳＴＥＰ６において、３〜５階の梁床部材４０を仮設の吊柱１２０により連結するとともに、５階の梁床部材４０と６階の梁床部材４０とを仮設の連結部材１２０により連結する。
【００２４】
次に、図４のＳＴＥＰ７において、ＳＴＥＰ８における２階の梁床部材４０を地組する工程を行うことができるように、水平部材昇降装置１１０により水平部材１０を１フロア分上昇させて、この高さで水平部材１０を保持する。
【００２５】
次に、ＳＴＥＰ８において、２階の梁床部材４０と３階の梁床部材４０とを仮設の吊柱１２０により連結する。これにより、２〜８階の梁床部材４０が水平部材１０より吊持された状態となる。そして、ジャッキ１３１と、鋼製の節つきのロッド１３２とで構成された梁床部材昇降装置１３０を、水平部材１０に反力をとりながら、２階の梁床部材４０を昇降可能なように設置する。すなわち、ロッド１３２を２〜８階の梁床部材４０の開口及び仮設の吊柱１２０の内部に挿通させる。そして、ロッド１３２の上端部を定着部１３３により水平部材１０に定着させ、ロッド１３２の２階の梁床部材４０の下方に突出した部分に、２階の梁床部材４０を下方から支持するようにジャッキ１３１を取付ける。なお、水平部材昇降装置１１０と同様に、ジャッキ１３１としては、例えば、ロッド１３２に沿って昇降可能なシャックル付きのジャッキなどが適しており、また、ロッド１３２に代えて、鋼線や鋼材などを用いることもできる。そして、２階の梁床部材４０と垂直部材２０とを連結部材６０により接続する。
【００２６】
次に、ＳＴＥＰ９において、２階の仮設の吊柱１２０を撤去する。なお、この時、２階の梁床部材４０は、梁床部材昇降装置１３０により支持されることとなる。
次に、ＳＴＥＰ１０において、３〜８階の梁床部材４０が吊下された水平部材１０を３階の梁床部材４０が所定のレベルに到達するまで、水平部材昇降装置１１０により上昇させる。なお、この際、２階の梁床部材４０のレベルが変化しないように、梁床部材昇降装置１３０により、水平部材１０の上昇する速度に合わせて、２階の梁床部材４０を水平部材１０に対して、下降させる。
【００２７】
次に、ＳＴＥＰ１１において、２階の梁床部材４０と３階の梁床部材４０との間に２階の本設の吊柱５０を構築し、また、３階の梁床部材４０と垂直部材２０との間に連結部材６０を接続する。
【００２８】
次に、ＳＴＥＰ１２において、３階の仮設の吊柱１２０を撤去する。なお、この際、２階及び３階の梁床部材４０は梁床部材昇降装置１３０により支持される。
次に、図５のＳＴＥＰ１３において、４〜８階の梁床部材４０が吊下された水平部材１０を４階の梁床部材４０が所定のレベルに到達するまで、水平部材昇降装置１１０により上昇させる。なお、この際、２階及び３階の梁床部材４０のレベルが変化しないように、梁床部材昇降装置１３０により、水平部材１０の上昇する速度に合わせて、２階及び３階の梁床部材４０を水平部材１０に対して下降させる。
次に、ＳＴＥＰ１４において、３階の本設の吊柱５０を構築し、また、４階の梁床部材４０と垂直部材２０とを連結部材６０を介して接続する。
【００２９】
次に、図５のＳＴＥＰ１５〜図７のＳＴＥＰ２６において、４階から７階までを階高変更階として、ＳＴＥＰ１２〜ＳＴＥＰ１４と同様に、階高変更階の仮設の吊柱１２０を解体し、２階から作業対象階までの階の梁床部材４０のレベルが変化しないように、梁床部材昇降装置１３０により２階から作業対象階までの階の梁床部材４０を水平部材１０に対して、下降させながら、作業対象階の直上の階から最上階までの梁床部材４０が吊下された水平部材１０を、作業対象階の階高が所定の高さになるまで、上昇させ、作業対象階の本設の吊柱５０を構築し、また、作業対象階の梁床部材４０と垂直部材２０とを連結部材６０により接続する。
【００３０】
次に、図７のＳＴＥＰ２７において、８階の仮設の吊柱１２０を撤去する。
次に、ＳＴＥＰ２８において、水平部材１０を水平部材昇降装置１１０により８階が所定の階高になるまで上昇させ、垂直部材２０に接続する。なお、水平部材１０を上昇させる際には、上記と同様に、２階から８階までの梁床部材４０のレベルが変わらないように、梁床部材昇降装置１３０により２階から８階までの梁床部材４０を下降させる。
【００３１】
次に、ＳＴＥＰ２９において、８階の梁床部材４０に下端が接続され、水平部材１０に上端が接続されるように、８階の本設の吊柱５０を構築する。
次に、ＳＴＥＰ３０において、梁床部材昇降装置１３０及び水平部材昇降装置１１０を解体し、撤去する。
以上の工程により、吊構造建物１００を構築することができる。
【００３２】
本実施形態の吊構造建物の構築方法によれば、水平部材１０に取り付けられた梁床部材昇降装置１３０により各階の梁床部材４０を支持しながら、水平部材１０を上昇させることにより、水平部材１０及び梁床部材４０を同時に昇降させることができるため、施工期間を短縮することができる。また、従来の方法では、梁床部材をロッドで接続した状態で、ロッドを吊上げており、一度吊上げ作業を開始してしまうと、階高の調整を行うことができないが、本実施形態によれば、水平部材昇降装置１１０により水平部材１０を昇降させる高さを調整することにより、吊上げ作業中であっても適宜階高を変更することができる。
【００３３】
なお、上記の実施形態では、３フロア分の梁床部材４０を構築するごとに水平部材１０を上昇させているが、これに限らず、１フロア分の梁床部材４０を構築し、水平部材１０を上昇させる工程を繰り返して構築してもよく、また、全フロア分の梁床部材４０を一度に構築してもよい。
【００３４】
また、上記の実施形態では、梁床部材昇降装置１３０を、本設の吊柱５０が設置される位置に取り付けた場合について説明したが、これに限らず、梁床部材４０の本設の吊柱５０と異なる位置に開口を設けて、この開口にロッド１３２を挿通させることにより、梁床部材昇降装置１３０を本設の吊柱５０と異なる位置に設置することもできる。このように、梁床部材昇降装置１３０を本設の吊柱５０と異なる位置に設ける場合には、本設の吊柱５０及び仮設の吊柱１２０はロッド１３２を挿通可能な構成にする必要はない。
【００３５】
また、上記の実施形態では、梁床部材昇降装置１３０を、ロッド１３２の上部を定着部１３３により水平部材１０に定着させ、ジャッキ１３１をロッド１３２の最下階の梁床部材４０を下面より突出した部分に、最下階の梁床部材４０を下方から支持するように設置する構成としたが、これに限らず、ロッド１３２の下端部を定着部１３３により最下階の梁床部材４０に定着し、ロッド１３２の上端部にジャッキ１３１を水平部材１０上に反力を取ることができるように設置する構成としてもよい。
【００３６】
また、上記の各実施形態では、上階から下階の順序で梁床部材４０を所定の高さに下降させ、吊柱５０を構築する構成としたが、これに限らず、下階から上階の順で梁床部材４０を所定の高さに下降させてもよく、また、中間の階の梁床部材４０を先行して下降させてもよく、要するにどのような順序で梁床部材を下降させてもかまわない。
【００３７】
また、上記実施形態では、水平部材１０に取り付けられた梁床部材昇降装置１３０により、各階の梁床部材４０を支持するものとしたが、これに限らず、本設の吊柱よりも短い仮設の吊柱により各階の梁床部材４０を吊持した状態で、水平部材１０を上昇させることも可能である。以下、このような場合の吊構造建物の構築方法の別の実施形態を説明する。
【００３８】
図８〜図１２は、本発明の吊構造建物の構築方法の別の実施形態を説明するための図である。
まず、上記実施形態と同様に、図８のＳＴＥＰ１〜図９のＳＴＥＰ７に示すように、水平部材１０を水平部材昇降装置１０により所定の高さに保持し、水平部材１０の下方に仮設の吊柱１２０を介して３〜８階の梁床部材４０を連結する。
【００３９】
次に、図９のＳＴＥＰ８において、２階の梁床部材４０を仮設の吊柱１２０により３階の梁床部材４０に下方より接続し、２階の梁床部材４０と垂直部材２０とを連結部材６０により接続する。また、２階の梁床部材４０の下部にベント１４０を架設して、２階の梁床部材４０を支持する。なお、本実施形態における連結部材６０としては、梁床部材４０及びその階の本設の吊柱５０の荷重を垂直部材２０に伝達可能な部材を用いるものとする。
【００４０】
次に、ＳＴＥＰ９に示すように、２階の仮設の吊柱１２０を撤去する。なお、この際、２階の梁床部材４０は、連結部材６０により支持される。
次に、ＳＴＥＰ１０において、３〜８階の梁床部材４０が仮設の吊柱１２０を介して吊下された水平部材１０を３階の梁床部材４０が所定のレベルに到達するまで、水平部材昇降装置１１０により上昇させる。
【００４１】
次に、ＳＴＥＰ１１において、２階の梁床部材４０と３階の梁床部材４０との間に２階の本設の吊柱５０を構築し、また、３階の梁床部材４０を支持するように、３階の梁床部材４０と垂直部材２０との間に連結部材６０を接続する。
【００４２】
次に、ＳＴＥＰ１２において、３階の仮設の吊柱１２０を解体する。なお、この際、２階及び３階の梁床部材４０は、２階及び３階の梁床部材４０は、連結部材６０を介して垂直部材２０に接続されることにより支持されている。
次に、図１０のＳＴＥＰ１３において、４〜８階の梁床部材４０が仮設の吊柱１２０を介して吊下された水平部材１０を４階の梁床部材４０が所定のレベルに到達するまで、水平部材昇降装置１１０により上昇させる。
【００４３】
次に、ＳＴＥＰ１４において、３階の梁床部材４０と４階の梁床部材４０の間に３階の本設の吊柱５０を構築し、また、４階の梁床部材４０を支持するように、４階の梁床部材と垂直部材２０との間に連結部材６０を接続する。
【００４４】
以下、図１０のＳＴＥＰ１５〜図１２のＳＴＥＰ２６において、４階から７階までの各階を作業対象階として、ＳＴＥＰ１２〜ＳＴＥＰ１４と同様に、作業対象階の仮設の吊柱１２０を解体し、作業対象階の上階から最上階までの梁床部材４０が仮設の吊柱１２０を介して吊下された水平部材１０を、作業対象階の上階の梁床部材４０が所定のレベルに到達するまで、水平部材昇降装置１１０により上昇させ、作業対象階の本設の吊柱５０を構築し、また、上階の梁床部材４０と垂直部材２０との間に連結部材６０を接続する工程を行う。これにより、図１２のＳＴＥＰ２６に示すような状態となる。
【００４５】
次に、図１２のＳＴＥＰ２７において、８階の仮設の吊柱１２０を解体する。
次に、ＳＴＥＰ２８において、水平部材１０を水平部材昇降装置１１０により所定の高さまで上昇させ、垂直部材２０に接続する。
【００４６】
次に、ＳＴＥＰ２９において、８階の梁床部材４０と水平部材１０とを連結するように８階の本設の吊柱５０を構築する。
次に、ＳＴＥＰ３０において、水平部材昇降装置１１０を解体し、撤去するとともに、２階の梁床部材４０を支持するベント１４０を撤去する。
以上の工程によっても、吊構造建物１００を構築することができる。
このように本実施形態の方法によれば、梁床部材４０を支持するための梁床部材昇降装置１３０を省略することができる。
なお、本実施形態では、所定の高さに上昇した梁床部材４０を連結部材６０により垂直部材２０に接続することにより支持する構成としたが、梁床部材４０を支持する方法はこれに限らない。
【００４７】
以下、２階の梁床部材の下方に仮設の支持部材を設けることにより梁床部材４０を支持する場合の吊構造建物の構築方法について説明する。
図１３及び図１６は、本発明の吊構造建物の構築方法の別の実施形態を説明するための図である。
図１３に示すように、まず、ＳＴＥＰ１において、メガフレーム３０を構成する垂直部材２０を構築し、この垂直部材２０の上部に反力をとるようにロッド１１２及びジャッキ１１１からなる水平部材昇降装置１１０を設置する。すなわち、垂直部材２０の上端にジャッキ１１１を設置し、このジャッキ１１１にロッド１１２の上部を取付ける。
【００４８】
次に、ＳＴＥＰ２において、地上に設置されたベント１４０上で、メガフレーム３０を構成する水平部材１０を構築する。そして、ジャッキ１１１より下方に延びるロッド１１２の下部に、定着部１１３により水平部材１０を定着させる。
【００４９】
次に、ＳＴＥＰ３において、ＳＴＥＰ４における水平部材１０の下方で各階の梁床部材４０を仮設の吊柱１２０で連結された状態で積層する作業を行えるよう、水平部材昇降装置１１０により、水平部材１０を所定の高さまで上昇させる。
【００５０】
次に、ＳＴＥＰ４において、水平部材１０の下方で、各階の梁床部材４０を仮設の吊柱１２０で連結するとともに、最上階の梁床部材４０を仮設の吊柱１２０により水平部材１０に連結する。なお、仮設の吊柱１２０としては、本設の吊柱５０に比べて短く、また、容易に撤去可能な部材を用いる。
【００５１】
次に、ＳＴＥＰ５において、最上階（８階）の仮設の吊柱１２０を解体し、最上階（８階）の梁床部材４０の上面から水平部材１０の下面までの間隔が８階の階高と等しくなるまで、水平部材昇降装置１１０により水平部材１０を上昇させる。
次に、ＳＴＥＰ６において、最上階（８階）の本設の吊柱５０を、下端が最上階（８階）の梁床部材４０に接続され、上端が水平部材１０に接続されるように構築する。
【００５２】
次に、図１４のＳＴＥＰ７において、７階の仮設の吊柱１２０を撤去し、８階の梁床部材４０を吊持した状態の水平部材１０を、７階の梁床部材４０の上面から８階の梁床部材４０の下面までの間隔が７階の階高と等しくなるまで、水平部材昇降装置１１０により上昇させる。
次に、ＳＴＥＰ８において、７階の本設の吊柱５０を、下端が７階の梁床部材４０に接続され、上端が８階の梁床部材４０に接続されるように構築する。
【００５３】
次に、図１４のＳＴＥＰ９〜図１５のＳＴＥＰ１８において、６階から２階までについても、各階を作業対象階として、ＳＴＥＰ７及びＳＴＥＰ８と同様に、作業対象階の仮設の吊柱１２０を撤去し、最上階から作業対象階の直上の階までの階の梁床部材４０が吊下された水平部材１０を、作業対象階の直上の階の梁床部材４０の下面から作業対象階の梁床部材４０の上面までの間隔が作業対象階の階高と等しくなるまで、水平部材昇降装置１１０により上昇させ、作業対象階の本設の吊柱５０を構築する工程を行う。
これにより、図１５のＳＴＥＰ１８に示すように、水平部材１０より各階の梁床部材４０が吊柱５０を介して吊持された状態となる。
【００５４】
次に、図１６のＳＴＥＰ１９において、各階の梁床部材４０が吊持された水平部材１０を所定の高さまで上昇させ、垂直部材２０と接続する。
次に、ＳＴＥＰ２０において、水平部材昇降装置１１０を解体し、撤去する。また、地上のベント１４０を撤去する。
【００５５】
次に、ＳＴＥＰ２１において、各階の梁床部材４０を垂直部材２０に連結部材６０を介して、接続する。
以上の工程により吊構造建物１００を構築することができる。
なお、本実施形態では、ＳＴＥＰ４において、水平部材１０の下方に、各階の梁床部材４０を仮設の吊柱１２０を介装した状態で積層させる構成としたが、これに限らず、仮設の吊柱１２０を省略して、各階の梁床部材４０を積層する構成としてもよい。
【００５６】
なお、図３〜図７を参照して説明した実施形態及び図１３〜図１６を参照して説明した実施形態では、梁床部材４０と垂直部材２０の間に連結部材６０が介装された構成の吊構造建物１００を構築する場合について説明したが、これに限らず、連結部材６０を省略することも可能であり、この場合には、連結部材６０を取付ける工程が不要となる。
【００５７】
また、上記各実施形態では、各階の梁と床が一体となった梁床部材４０が吊持された吊構造建物１００を構築する場合について説明したが、これに限らず、梁と床が別体であり梁部材又は床部材のみが吊持された吊構造建物に対しても本発明を適用することができる。
また、上記各実施形態では、吊柱５０により吊持された全ての階の梁床部材４０を本発明の方法により構築する場合について説明したが、これに限らず、一部の階のみを本発明の方法により構築することも可能である。
【図面の簡単な説明】
【００５８】
【図１】本実施形態の構築方法により構築された吊構造建物の構成を示す正面図である。
【図２】吊柱を構成する部材を示す斜視図である。
【図３】第１実施形態の吊構造建物の構築方法を説明するための図（その１）である。
【図４】第１実施形態の吊構造建物の構築方法を説明するための図（その２）である。
【図５】第１実施形態の吊構造建物の構築方法を説明するための図（その３）である。
【図６】第１実施形態の吊構造建物の構築方法を説明するための図（その４）である。
【図７】第１実施形態の吊構造建物の構築方法を説明するための図（その５）である。
【図８】第２実施形態の吊構造建物の構築方法を説明するための図（その１）である。
【図９】第２実施形態の吊構造建物の構築方法を説明するための図（その２）である。
【図１０】第２実施形態の吊構造建物の構築方法を説明するための図（その３）である。
【図１１】第２実施形態の吊構造建物の構築方法を説明するための図（その４）である。
【図１２】第２実施形態の吊構造建物の構築方法を説明するための図（その５）である。
【図１３】第３実施形態の吊構造建物の構築方法を説明するための図（その１）である。
【図１４】第３実施形態の吊構造建物の構築方法を説明するための図（その２）である。
【図１５】第３実施形態の吊構造建物の構築方法を説明するための図（その３）である。
【図１６】第３実施形態の吊構造建物の構築方法を説明するための図（その４）である。
【符号の説明】
【００５９】
１０  水平部材                  ２０  垂直部材
３０  メガフレーム              ４０  梁床部材
５０  （本設の）吊柱            ６０  連結部材
１００  吊構造建物              １１０  水平部材昇降装置
１１１  ジャッキ                １１２  ロッド
１１３  定着部                  １３０  梁床部材昇降装置
１３１  ジャッキ                １３２  ロッド
１３３  定着部                  １４０  ベント
１５２  分割された鋼管
【図２】
2008280681.tif 000003
【図１】
2008280681.tif 000004
【図３】
2008280681.tif 000005
【図４】
2008280681.tif 000006
【図５】
2008280681.tif 000007
【図６】
2008280681.tif 000008
【図７】
2008280681.tif 000009
【図８】
2008280681.tif 000010
【図９】
2008280681.tif 000011
【図１０】
2008280681.tif 000012
【図１１】
2008280681.tif 000013
【図１２】
2008280681.tif 000014
【図１３】
2008280681.tif 000015
【図１４】
2008280681.tif 000016
【図１５】
2008280681.tif 000017
【図１６】
2008280681.tif 000018